(57)【要約】      （修正有）【課題】左スタンドと右スタンドとをロータリ軸に係合固定して装着することにより、ロータリ耕耘装置の取外しを能率よく容易に行うことができるロータリ耕耘装置のスタンドを提供する。【解決手段】耕耘爪１７を有するロータリ耕耘装置１のスタンド７であって、前記スタンド７を、キャスタ２７を前後に有するスタンドフレーム２６と、スタンドフレーム２６に立設したロータリ軸６の装着部２９とによって構成すると共に、各スタンド７Ｌ，７Ｒをロータリ軸６の左右に格別に装着可能にした。【選択図】図４
2012095624.tif 000002
【特許請求の範囲】
【請求項１】
耕耘爪（１７）を有するロータリ耕耘装置（１）のスタンド（７）において、前記スタンド（７）を、キャスタ（２７）を前後に有するスタンドフレーム（２６）と、スタンドフレーム（２６）に立設したロータリ軸（６）の装着部（２９）とによって構成すると共に、各スタンド（７Ｌ，７Ｒ）をロータリ軸（６）の左右に格別に装着可能になすことを特徴とするロータリ耕耘装置のスタンド。
【請求項２】
左スタンド（７Ｌ）と右スタンド（７Ｒ）とを、それぞれのスタンドフレーム（２６）の後部を連結フレーム（２５）によって着脱自在に連結する請求項１記載のロータリ耕耘装置のスタンド。
【発明の詳細な説明】
【技術分野】
【０００１】
本発明は、農業用トラクタにロータリ耕耘装置を着脱する際に使用するロータリ耕耘装置のスタンドに関する。
【背景技術】
【０００２】
従来、トラクタの昇降リンク機構に設けられる作業機装着装置（ヒッチ部）に装着されているロータリ耕耘装置を、キャスタ付のスタンドを利用して着脱することは既に公知である（例えば特許文献１）。
上記スタンドは、左右のスタンドフレーム（基部フレーム）の前部側に立設したロータリ軸（爪軸）を載置する支持部材（爪軸支持台）に対し、前後方向に調節自在に位置決めされる後部フレーム支持台に、ロータリ耕耘装置の後部に横設されるツールバー（後部フレーム）を保持する構成にしている。
【先行技術文献】
【特許文献】
【０００３】
【特許文献１】特開２０００−８３４０９号公報
【発明の概要】
【発明が解決しようとする課題】
【０００４】
上記特許文献１に示されるスタンドは、ロータリ軸の左右を支持部材に載せ、且つツールバーを後部フレーム支持台に載せて固定するので、多種のロータリ耕耘装置に汎用性を有して使用することができる。
然しながら、上昇位置にあるロータリ耕耘装置を、その下方に差し入れた状態のスタンドに向けて下降させるとき、耕耘爪が幅狭な間隔で突設されているロータリ軸は、隣接する耕耘爪の間に左右の支持部材を正確に差し込みながら下降しなければならないため、ロータリ軸を支持部材に載せる載置作業に熟練を要する欠点がある。そのためオペレータが１人作業によってロータリ耕耘装置を取外すとき、上記載置作業を幾度かやりなおして行わねばならず、或いはロータリ耕耘装置の後方でスタンドを位置合せする補助者を必要とする等の問題がある。
【課題を解決するための手段】
【０００５】
本発明は係る課題を解決するために、第１に、耕耘爪１７を有するロータリ耕耘装置１のスタンド７において、前記スタンド７を、キャスタ２７を前後に有するスタンドフレーム２６と、スタンドフレーム２６に立設したロータリ軸６の装着部２９とによって構成すると共に、各スタンド７Ｌ，７Ｒをロータリ軸６の左右に格別に装着可能になすことを特徴としている。
第２に、左スタンド７Ｌと右スタンド７Ｒとを、それぞれのスタンドフレーム２６の後部を連結フレーム２５によって着脱自在に連結することを特徴としている。
【発明の効果】
【０００６】
請求項１の発明によれば、キャスタを前後に有するスタンドフレームの中途部に、ロータリ軸に対し係脱自在に装着する装着部を立設した左右のスタンドにすることにより、ロータリ軸に対し装着部を介して左右のスタンドを簡単に装着することができる。従って、予め地上にスタンドを設置して位置合わせすることなく、ロータリ耕耘装置にスタンドを能率よく装着することができる。
請求項２の発明によれば、左スタンドと右スタンドとを、それぞれの後部を着脱自在な連結フレームによって連結することにより、剛性の高いスタンドを簡単に構成することができる。また各フレーム自体を小型軽量化させた簡潔な構成にすることができると共に、スタンドの装着作業及び収納時の利便性を高めることができる。
【図面の簡単な説明】
【０００７】
【図１】トラクタに連結されたロータリ耕耘装置にスタンドを取付けた状態を示す側面図である。
【図２】ロータリ耕耘装置を下降させて後部のキャスタを接地させた状態を示す側面図である。
【図３】ロータリ耕耘装置をさらに下降させて、リヤカバーをスタンドフレームに接当させた状態を示す側面図である。
【図４】ロータリ耕耘装置をスタンドに載置させた状態を示す側面図である。
【図５】スタンドの全体構造を示す斜視図である。
【図６】スタンドの装着部の構成及び装着部とロータリ軸の係合開始状態を示す側面図である。
【図７】装着部をロータリ軸に係合させた状態を示す側面図である。
【図８】装着部をロータリ軸に係合固定させた状態を示す側面図である。
【発明を実施するための形態】
【０００８】
本発明の一実施形態を図面に基づいて説明する。図1〜図３おいて符号１はロータリ耕耘装置であり、ロータリ耕耘装置１は、トラクタ２の走行機体後部に設置されるトップリンクとロアーリンク等からなる昇降リンク機構３の後部に装着される作業機連結装置（オートヒッチ）３ａに着脱自在に連結される。
このロータリ耕耘装置１は、トラクタ後部のＰＴＯ軸３ｂから自在継手付伝動シャフトを介して伝動される動力によってロータリ耕耘部５を駆動して圃場の耕耘を行う。
そして、ロータリ耕耘装置１を作業機連結装置３ａから取り外すとき、ロータリ耕耘部５のロータリ軸６にスタンド７を装着することにより、トラクタ２からロータリ耕耘装置１を取外したときに、ロータリ耕耘装置１をスタンド７に載置しておくことができる。
【０００９】
以下ロータリ耕耘装置１及びスタンド７について説明する。先ずロータリ耕耘装置１は、前記ＰＴＯ軸３ｂから伝動シャフトを介して伝動される動力を受け入れる入力軸を有するギヤケース９と、該ギヤケース９の両側で左右方向に延設されるビーム１０と、両ビーム端に下向きに固設されるチェンケース１１及びサポート（図示せず）と、ギヤケース９の上部に固設されるトップマスト１２等から構成されている。
そして、尾輪等を着脱自在に取付ける横向きのツールバー１３を、左右のビーム１０に回動自在に枢支されて後方に向けて延設するアーム１５の後端部に設けている。このツールバー１３は、トップマスト１２とアーム１５との間に設けたネジロッド１６の伸縮操作により高さ調節自在に構成されている。
【００１０】
ロータリ耕耘部５は、前記チェンケース１１とサポートの下部にロータリ軸６を回転自在に軸支しており、ロータリ軸６には爪ホルダ６ａを介して複数の耕耘爪１７を放射方向に突設している。該ロータリ軸６はギヤケース９からチェンケース１１を介して回転駆動される。
そして、ロータリ耕耘部５の上方にはメインカバー１８が設けられていて、メインカバー１８はロータリ耕耘部５の上方を覆っている。またロータリ耕耘部５の後方はメインカバー１８の後端部に設けた支点１９に回動自在に軸支されるリヤカバー２０によって覆っている。
【００１１】
上記リヤカバー２０は、メインカバー１８の後部から突設したブラケット２１に固定及び固定解除自在に支持される吊りロッド２２によって支持している。
この吊りロッド２２は、リヤカバー２０を加圧するための加圧スプリング２３を嵌挿した状態で、ロッド上部をブラケット２１に回動自在に軸支している取付軸２１ａに摺動自在に挿入しており、且つ固定ピンによって吊りロッド２２を固定することによってリヤカバー２０の回動を阻止するようにしている。
【００１２】
次に、スタンド７について図４〜図８を参照し説明する。このスタンド７は、ロータリ軸６に個別に装着される左スタンド７Ｌと右スタンド７Ｒとからなり、また左スタンド７Ｌと右スタンド７Ｒとは必要により、その後部を連結フレーム２５によって着脱自在に連結することができるようにしている。
即ち、左スタンド７Ｌと右スタンド７Ｒとは、それぞれロータリ耕耘装置１の前後長と略同じ長さを有する角パイプからなるスタンドフレーム２６に、キャスタ２７をその前後端に固設していると共に、中途部の前方寄りにロータリ軸６に対し係合固定自在な装着部２９を上方に向けて立設している。
【００１３】
装着部２９は、隣接する耕耘爪１７の間に挿入自在で且つロータリ軸６を支持するに十分な板厚を有する支持部材３０に、ロータリ軸６に前方から挿入して係合させる幅と深さを有する係合溝３１を切欠形成し、且つ該係合溝３１に挿入されたロータリ軸６の抜け出しを防止するロック部材３２を設けた構成にしている。
上記ロック部材３２は側面視でロータリ軸６の外周に沿う円弧形状にしており、その上部を支持部材３０の上部に取付ピン３３を介して回動自在に取付けると共に、ロック部材３２の下端部に穿設した取付孔３５と、支持部材３０の開口部下辺に穿設したロック孔３６とに、ロックピン３７を抜き差し自在に挿入することができる構成にしている（図７）。またロックピン３７は図５で示すように、差込み側の端部に抜き差し自在なベータピン３９を有している。
【００１４】
これにより上昇させたロータリ耕耘装置１に対し、左スタンド７Ｌと右スタンド７Ｒはロックピン３７を外した状態で、各装着部２９の支持部材３０をロータリ軸６の前方下方から、隣接する耕耘爪１７の間に差し込んだ状態で後方に移動操作すると、係合溝３１をロータリ軸６に嵌めて係合させ装着することができる。そして、左スタンド７Ｌと右スタンド７Ｒの前後方向の重心は、装着部２９より後方にあるため、スタンド７から手を放すとスタンドフレーム２６の後部が下がることから、上動する前部側がメインカバー１８の前部に設けられるフロントカバー４０の下端に接当して、それ以上の後方回動が規制され図1で示す略水平状態の装着姿勢に保持される。
【００１５】
他方、連結フレーム２５は、スタンドフレーム２６に上方から嵌合自在とする下向きコ字状の左取付部４１Ｌと右取付部４１Ｒとに、所定の長さを有して互いに嵌合する異径パイプからなる左連結パイプ４２と右連結パイプ４３とを内向きに複数突設し、且つ取付部４１Ｌ，４１Ｒの外側面に締着用のノブ付きの固定ネジ４５を設けている。また径大な左連結パイプ４２の端部には、内部にスライド自在に挿入される右連結パイプ４３を位置決め固定する調節ネジ４６を設けている。
【００１６】
これにより連結フレーム２５は、ロータリ軸６の左右に各別に装着された左スタンド７Ｌと右スタンド７Ｒとに対し、左右の取付部４１Ｌと取付部４１Ｒとを、左連結パイプ４２に対する右連結パイプ４３の挿入深さを調節し位置を定めたのち、各スタンドフレーム２６に上方から嵌合させて固定ネジ４５と調節ネジ４６とを締着する。
従って、連結フレーム２５は、装着部２９を介してロータリ軸６に装着された左スタンド７Ｌと右スタンド７Ｒとを連結して固定することができるので、一体化された剛性の高いスタンド７を構成することができる。
【００１７】
次に、図1〜図４を参照し上記構成からなるスタンド７の使用態様及び作用について説明する。ロータリ耕耘装置１をトラクタ１から外すとき、先ずリヤカバー２０を吊りロッド２２の固定ピンによって回動をロックしておく。そして、ロータリ耕耘装置１を、昇降リンク機構３を介し最上昇位置に上昇した状態で、ロックピン３７を外してロック部材３２をフリーにした状態の装着部２９を、ロータリ軸６に係合させ左スタンド７Ｌと右スタンド７Ｒとを装着する。
このとき左スタンド７Ｌと右スタンド７Ｒは、個別にロータリ部５の後方からスタンドフレーム２６を持って、各支持部材３０を隣接する耕耘爪１７の爪ホルダ６ａの間に差し込み、図６で示すように係合溝３１をロータリ軸６の前方に位置させた状態から、支持部材３０を後方に移動させる簡単な動作によって、係合溝３１をロータリ軸６に係合させて装着することができる。
【００１８】
即ち、このときロック部材３２は図７で示すように、支持部材３０の後方移動に伴いロータリ軸６に接当した状態で取付ピン３３を支点に前方上方に回動し、係合溝３１がロータリ軸６に嵌合し溝奥に接当したとき上向きの実線状態になる。そして、このとき手を離したとしても、スタンドフレーム２６の後方が下がり、且つ前方がフロントカバー４０の下端に接当した状態の装着姿勢に保持されるので、スタンド７を持上げながらロック部材３２の固定作業を行う必要がないので、以降の作業を楽に行うことができる。
【００１９】
次いで、上記ロック部材３２を後方回動させて図８で示す実線位置にすると、ここでロックピン３７をロック孔３６と取付孔３５に挿入し、ピン端にベータピン３９を差込み抜け止めをし、左スタンド７Ｌと右スタンド７Ｒとの装着作業を完了する。
従って、左スタンド７Ｌと右スタンド７Ｒは、それぞれを個別にロータリ軸６に装着することができ、また下方から装着部２９を耕耘爪１７の間に差し込んで後方に移動させる簡単な動作によって装着することができるので、非力な作業者でも容易に装着作業を行うことができる。
【００２０】
次に、ロータリ耕耘装置１の取外し作業は、昇降リンク機構３を介しロータリ耕耘装置１を最上昇位置から下降させると、図２で示すように左スタンド７Ｌと右スタンド７Ｒの後部のキャスタ２７が先ず接地する。またロータリ耕耘装置１のさらなる下降に伴い、スタンドフレーム２６の前部はロータリ軸６を支点に回動しながら下降しフロントカバー４０から離間しながら、リヤカバー２０の下部がスタンドフレーム２６の後部上面に接当し、次いで前部のキャスタ２７が接地する。
【００２１】
これによりロータリ耕耘装置１が前後のキャスタ２７を接地させた下降位置において、左スタンド７Ｌと右スタンド７Ｒは、ロータリ耕耘装置１を前部の装着部２９とスタンドフレーム２６の後部とで、ロータリ軸６とリヤカバー２０の左右をそれぞれ安定よく支持することができる。次いで、トラクタ２の作業機連結装置３ａとの連結を解除操作したのちトラクタ２を前進させる。これによりトラクタ２は、左スタンド７Ｌと右スタンド７Ｒとからなるスタンド７にロータリ耕耘装置１を載置させることができる。
【００２２】
次いで、スタンド７に載置されたロータリ耕耘装置１を別の場所に移動させる場合に、ロータリ耕耘装置１は、ロータリ軸６が装着部２９によって固定され、且つ回動が阻止されたリヤカバー２０の底面がスタンドフレーム２６に接当しているので、ロータリ耕耘装置１の前方に手をかけて後方に向けて手押しするとき、前後左右が安定よく支持された状態で転倒を防止しながら、キャスタ２７を介し移動作業をスムーズに行うことができる。
【００２３】
従って、左スタンド７Ｌと右スタンド７Ｒは、ロータリ軸６とリヤカバー２０の下端を支持させるだけの簡潔で廉価な軽量構造のスタンド７にすることができると共に、１人作業によってロータリ耕耘装置１のスタンド７への載置作業を能率よく行うことができる。
またロータリ耕耘装置１をスタンド７に安定よく支持しながら移動をスムーズにするので、トラクタ２に対する別の作業機との交換作業を能率よく行うことができると共に、納屋への格納作業も容易にすることができる。また上記構成からなるスタンド７は、左スタンド７Ｌと右スタンド７Ｒとを同じ構造にすることができるので、部品の兼用化を図ることができる等の特徴がある。
【００２４】
一方、ロータリ耕耘装置１を再び装着する場合には、トラクタ１が昇降リンク機構３を下降させた作業機装着姿勢にある作業機連結装置３ａに対し、スタンド７に載置されているロータリ耕耘装置１を連結したのち、昇降リンク機構３を介してロータリ耕耘装置１をスタンド７と共に上昇させる。
次いで、左スタンド７Ｌ及び右スタンド７Ｒを、装着時の逆順の操作によって、ロックピン３７を外しロック部材３２を反転させてロック解除をする。次いで、スタンドフレーム２６を前方に移動させ係合溝３１をロータリ軸６から外す。
これによりオペレータは１人作業によって、左スタンド７Ｌと右スタンド７Ｒとを共に楽に取外して、ロータリ耕耘装置１の取付作業を完了することができる。
【００２５】
また上記のようにロータリ耕耘装置１に装着した左スタンド７Ｌと右スタンド７Ｒを、連結フレーム２５によって連結する場合には、図1で示すようにロータリ軸６に装着した左スタンド７Ｌと右スタンド７Ｒの各スタンドフレーム２６に対し、左右の取付部４１Ｌと取付部４１Ｒとを、その間隔を調節し前後方向の連結位置を定めて上方から嵌合させた状態で、固定ネジ４５と調節ネジ４６とを締着して固定する。
【００２６】
従って、連結フレーム２５の取付作業は、ロータリ軸６に装着部２９を介して装着された状態にある左スタンド７Ｌと右スタンド７Ｒとに簡単に取付けることができる。
また左スタンド７Ｌと右スタンド７Ｒは、前部側がロータリ軸６に係合固定された状態で連結フレーム２５の後部側が連結されるので、３者が一体化した剛体構造のスタンド７になり、路面の凹凸等による振動によっても、ロータリ耕耘装置１をスタンド７との位置ずれを防止して、また、スタンド７の左右方向の倒れを防止して安定性のよいスムーズな移動をすることができる。
【００２７】
また左スタンド７Ｌと右スタンド７Ｒ及び連結フレーム２５は、各フレーム自体を小型軽量化させた簡潔で廉価な構成にすることができると共に、装着作業時の取扱い性並びに納屋等へ収納するときに、積み重ねて収納することが可能で大きなスペースを要しない等の利便性を高めることができる。また左スタンド７Ｌと右スタンド７Ｒは、ロータリ軸６の長さに応じて左右の適正位置に装着自在であるため、多種なロータリ耕耘装置１に対してもそのまま使用することができる等の特徴がある。
【００２８】
尚、本実施形態ではロータリ耕耘装置１の後部を、リヤカバー２０をスタンドフレーム２６に接当させて支持する構成にしているが、これに限定するものではなく、例えば、接当させたリヤカバー２０の下端をクランプ等によってスタンドフレーム２６に固定することにより、ロータリ耕耘装置１の移動時の転倒を防止することができる。
【符号の説明】
【００２９】
１    ロータリ耕耘装置
２    トラクタ
６    ロータリ軸
７    スタンド
７Ｌ  左スタンド
７Ｒ  右スタンド
１７    耕耘爪
２５    連結フレーム
２６    スタンドフレーム
２７    キャスタ
２９    装着部
３０    支持部材
３１    係合溝
３２    ロック部材
【図１】
2012095624.tif 000003
【図２】
2012095624.tif 000004
【図３】
2012095624.tif 000005
【図４】
2012095624.tif 000006
【図５】
2012095624.tif 000007
【図６】
2012095624.tif 000008
【図７】
2012095624.tif 000009
【図８】
2012095624.tif 000010